(57)【要約】【課題】照明装置の大型化を抑制しつつ、照明装置の点灯時に輝度斑を抑制することができる照明装置を提供する。【解決手段】照明装置１は、導光する光を拡散させる第１面７１と、第１面７１よりも導光する光を拡散しない第２面７２とを有する導光板７と、第２面７２側から第１面７１側に向けて光を照射する第１光源４１と、第２面７２に光を照射する第２光源５１とを備える。そして、第１光源４１の光軸Ｘ１は、第２光源５１の光軸Ｘ１と導光板７内で交差又は立体交差している。【選択図】図２
2018056000.tif 000002
【特許請求の範囲】
【請求項１】
導光する光を拡散させる第１領域と、前記第１領域よりも導光する光を拡散しない第２領域とを有する導光板と、
前記第２領域側から前記第１領域側に向けて光を照射する第１光源と、
前記第２領域に光を照射する第２光源とを備え、
前記第１光源の光軸は、前記第２光源の光軸と前記導光板内で交差又は立体交差している
照明装置。
【請求項２】
前記導光板を平面視した場合において、前記第２光源は、前記第２領域と重なるように配置されている
請求項１記載の照明装置。
【請求項３】
前記第１領域の面積は、前記第２領域の面積よりも広い
請求項１又は２記載の照明装置。
【請求項４】
さらに、光を反射させる反射板を備え、
前記反射板は、前記第２光源の光を前記第２領域と交差させるように反射する
請求項１〜３のいずれか１項に記載の照明装置。
【請求項５】
前記第１光源と前記第２光源とは、同一の基板に実装され、
前記基板は、前記導光板と立体交差している
請求項４記載の照明装置。
【請求項６】
前記導光板は、前記第２領域が形成された導光部を有し、
前記第１光源は、複数配列され、
隣り合う２つの前記第１光源の光は、前記導光部内で互いに交差している
請求項１〜５のいずれか１項に記載の照明装置。
【請求項７】
前記第２領域とは反対側の面で、かつ、前記導光板を平面視した場合に前記第２領域と重なる前記導光板の面には、導光した光を拡散透過させる光拡散処理が施され、
前記光拡散処理は、前記導光部内を導光する前記第１光源の屈折角内の光よりも、前記第１光源の光が入射しない領域に設けられる
請求項６記載の照明装置。
【請求項８】
前記第２領域とは反対側の面で、かつ、前記導光板を平面視した場合に前記第２領域と重なる前記導光板の面には、導光した光を拡散透過させる光拡散部が設けられている
請求項１〜６のいずれか１項に記載の照明装置。
【発明の詳細な説明】
【技術分野】
【０００１】
本発明は、導光した光を出射させる導光板を用いた照明装置に関する。
【背景技術】
【０００２】
従来、側面を有する導光板と、導光板の側面に対向する位置に設けられたＬＥＤ（第１発光部の一例）とを備えたＬＥＤ照明ユニット（照明装置の一例）が開示されている（例えば特許文献１参照）。
【０００３】
このＬＥＤ照明ユニットでは、導光板は、Ｘ方向に入射した光を、Ｘ方向と直交するＹ方向へ照射する。
【先行技術文献】
【特許文献】
【０００４】
【特許文献１】登録実用新案第３１５２１４０号公報
【発明の概要】
【発明が解決しようとする課題】
【０００５】
しかしながら、従来の照明装置では、Ｘ方向に入射した光をＹ方向へ出射するために拡散板を用いているが、第１発光部の直下近傍（Ｙ方向）に光が照射され難い。このため、照明装置では、第１発光部の直下近傍が暗くなり、照明装置を見た際に輝度斑が生じ、外観が損なわれる。そこで、輝度斑を生じさせないように、新たに発光部を設ければよいが、これでは照明装置が大型化してしまう。
【０００６】
そこで、本発明は、照明装置の大型化を抑制しつつ、照明装置の点灯時に輝度斑を抑制することができる照明装置を提供することを目的とする。
【課題を解決するための手段】
【０００７】
上記目的を達成するため、本発明の一態様に係る照明装置は、導光する光を拡散させる第１領域と、前記第１領域よりも導光する光を拡散しない第２領域とを有する導光板と、前記第２領域側から前記第１領域側に向けて光を照射する第１光源と、前記第２領域に光を照射する第２光源とを備え、前記第１光源の光軸は、前記第２光源の光軸と前記導光板内で交差又は立体交差している。
【発明の効果】
【０００８】
本発明によれば、照明装置の大型化を抑制しつつ、照明装置の点灯時に輝度斑を抑制することができる。
【図面の簡単な説明】
【０００９】
【図１】実施の形態１に係る照明装置を示す斜視図である。
【図２】図１のＡ−Ａ線における実施の形態１に係る照明装置を示す部分拡大断面図である。
【図３】実施の形態１に係る照明装置を示す拡大断面図である。
【図４】実施の形態１に係る照明装置における光源の配光を示す説明図である。
【図５】実施の形態１に係る照明装置における第１発光部の光源の配光を示す説明図である。
【図６】比較例に係る照明装置における光源の配光を示す説明図である。
【図７】実施の形態１の変形例１に係る照明装置を示す部分拡大断面図である。
【図８】実施の形態１の変形例２に係る照明装置を示す部分拡大断面図である。
【図９】実施の形態１の変形例３に係る照明装置における第１発光部の光源の配光を示す説明図である。
【図１０】実施の形態２に係る照明装置を示す部分拡大断面図である。
【発明を実施するための形態】
【００１０】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
また、「略＊＊」との記載は、「略同一」を例に挙げて説明すると、全く同一はもとより、実質的に同一と認められるものを含む意図である。また、「＊＊近傍」との記載においても同様である。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
以下、本発明の実施の形態に係る照明装置について説明する。
【００１４】
（実施の形態１）
［構成］
まず、本実施の形態に係る照明装置１の構成について図１〜図３を用いて説明する。
【００１５】
図１は、実施の形態１に係る照明装置１を示す斜視図である。図２は、図１のＡ−Ａ線における実施の形態１に係る照明装置１を示す部分拡大断面図である。図３は、実施の形態１に係る照明装置１を示す拡大断面図である。
【００１６】
図１では、照明装置１において、第１光源４１が並ぶ方向をＸ軸方向と規定し、導光板７が並ぶ方向をＹ軸方向と規定し、上下方向をＺ軸方向と規定する。本実施の形態では、Ｘ軸プラス方向を右方向とし、Ｘ軸マイナス方向を左方向とし、Ｙ軸プラス方向を前方向とし、Ｙ軸マイナス方向を後方向とし、Ｚ軸プラス方向を上方向とし、Ｚ軸マイナス方向を下方向とする。そして、図２以降の各図に示す各方向は、全て図１に示す各方向に対応させて表示する。なお、図１では、上下方向、左右方向及び前後方向は、使用態様によって変化するため、これには限定されない。以降の図においても、同様である。
【００１７】
図１に示すように、照明装置１は、エッジライト方式を用いた導光板照明であり、例えば、施設における壁や天井等に設置されている配線器具（引掛シーリング）に配設される。本実施の形態では、照明装置１を天井の引掛シーリングに電気的に接続した状態で設ける。照明装置１を平面視（照明装置１の下側から上側を見た場合）で、２枚の導光板７が前後左右方向に羽を広げたような外観である。
【００１８】
図２に示すように、照明装置１は、筐体２と、複数の第１発光部４と、複数の第２発光部５と、複数の導光板７と、第１支持部２１と、２つの第２支持部２２と、カバー部８と、電源部９とを備える。
【００１９】
筐体２は、左右方向に長尺で、その下方に開口が形成された有底の箱である。筐体２は、複数の第１発光部４、複数の第２発光部５、電源部９等を収容している。また、筐体２は、前側及び後側の導光板７を支持している。
【００２０】
本実施の形態では、第１発光部４は、左右方向に長尺な板状をなしている。本実施の形態では、２つの第１発光部４が筐体２に固定されている。第１発光部４は光軸Ｘ１が略水平方向に出射するように配置されている。具体的には、一方の第１発光部４の光軸Ｘ１が前方向に向き、他方の第１発光部４の光軸Ｘ１が後方向に向いている。つまり、２つの第１発光部４は、前後対称に設けられる。
【００２１】
一方（前方）の第１発光部４は、前方側に設けられる導光板７の後端縁側に設けられ、この導光板７の入射面７３に対して光軸Ｘ１が略垂直に入射するように設けられる。他方（後方）の第１発光部４は、後方側に設けられる導光板７の前端縁側に設けられ、この導光板７の入射面７３に対して光軸Ｘ１が略垂直に入射するように設けられる。なお、後側の第１発光部４は、前側の第１発光部４と同様の構成であるため、特に記載しない場合はその説明を省略する。
【００２２】
各々の第１発光部４は、複数の第１光源４１と、複数の第１光源４１が配置される配線基板４２とを有するモジュールである。
【００２３】
複数の第１光源４１は、左右方向に長尺な配線基板４２で実装され、１列で左右方向に並んでいる。本実施の形態では、１列に並んでいるが、上下で２列以上並んでいてもよい。つまり、導光板７の入射面７３には、上下で２列以上設けられた光源からの光が入射してもよい。
【００２４】
各々の第１光源４１は、配線基板４２に電気的に接続されている。配線基板４２は、電源部９に電気的に接続されている。第１光源４１は、導光板７の入射面７３と接触しないように導光板７から離間した状態で、入射面７３に光が入射するように配線基板４２に実装されている。各々の第１光源４１の光軸Ｘ１は、導光板７を導光するように、後述する第２導光部７ｂの第２面７２側から後述する第１導光部７ａ（導光部の一例）の第１面７１側に向けて光を照射する。言い換えれば、第１光源４１は、光を出射する出射方向が導光板７の側面（入射面７３）に対向するように、配線基板４２に実装され、入射面７３に向けて光を出射する。各々の第１光源４１は、光軸Ｘ１が導光板７と略平行であり、かつ、光軸Ｘ１が導光板７の入射面７３と略直交するように筐体２に設けられる。なお、第１光源４１は、第１光源４１の光を導光板７の入射面７３に多く入射させるために、導光板７の入射面７３に近接していることが好ましい。
【００２５】
第２発光部５は、左右方向に長尺な板状をなし、筐体２に固定されている。本実施の形態では、２つの第２発光部５が筐体２に固定されている。各々の第２発光部５は、光軸Ｘ２が略鉛直方向（本実施の形態では下方向）に出射するように配置されている。一方の第２発光部５は、前側の導光板７の上方に設けられ、導光板７の上面（後述する第２面７２（第２領域の一例））と光軸Ｘ１とが略直交するように筐体２に設けられる。他方の第２発光部５は、後側の導光板７の上方に設けられ、導光板７の上面（後述する第２面７２）と光軸Ｘ２とが略直交するように筐体２に設けられる。
【００２６】
各々の第２発光部５は、複数の第２光源５１と、複数の第２光源５１が配置される配線基板５２とを有するモジュールである。
【００２７】
複数の第２光源５１は、左右方向に長尺な配線基板５２で実装され、２列で左右方向に並んでいる。本実施の形態では、前後方向に２列の第２光源５１が並んでいるが、１列でもよく、３列以上であってもよい。
【００２８】
各々の第２光源５１は、配線基板５２に電気的に接続されている。配線基板５２は、電源部９に電気的に接続されている。第２光源５１は、導光板７を平面視した場合において、第２面７２と重なるように配置されている。言い換えれば、第２光源５１は、第２導光部７ｂの上方に設けられている。つまり、第２光源５１は、第２導光部７ｂの第２面７２に光を直接照射する。
【００２９】
より具体的には、第２光源５１は、導光板７と接触しないように導光板７の第２面７２から離間した状態で配線基板５２に実装されている。第２光源５１は、第２面７２と交差するように光を照射する。言い換えれば、第２光源５１は、光を出射する出射方向が導光板７の第２面７２に対向するように、配線基板５２に実装され、第２面７２に向けて光を出射する。つまり、各々の第２光源５１は、光軸Ｘ２が導光板７と略垂直であり、かつ、光軸Ｘ２が導光板７の第２面７２と略直交するように筐体２に設けられる。
【００３０】
このように、第１光源４１及び第２光源５１は、第１光源４１の光軸Ｘ１と第２光源５１の光軸Ｘ２とは、導光板７の第２導光部７ｂ内で交差又は立体交差するように設けられる。
【００３１】
各々の第１、２光源４１、５１は、いわゆるＳＭＤ（Ｓｕｒｆａｃｅ  Ｍｏｕｎｔ  Ｄｅｖｉｃｅ）型のＬＥＤ素子である。ＳＭＤ型のＬＥＤ素子とは、具体的には、樹脂成型されたキャビティの中にＬＥＤチップ（発光素子）が実装され、キャビティ内に蛍光体含有樹脂が封入されたパッケージ型のＬＥＤ素子である。各々の第１、２光源４１、５１は、電源部９に設けられている図示しない制御回路により制御されて点灯及び消灯を行う。また、各々の第１、２光源４１、５１は、電源部９に設けられている制御回路により制御されて調光調色が行われる。
【００３２】
導光板７は、天井の天井面に対して略平行に保つように筐体２に支持されている。本実施の形態では、導光板７は、一部が筐体２に収容された状態で支持され、前側の導光板７が筐体２から前方向かつ左右方向に延在し、後側の導光板７が筐体２から後方向かつ左右方向に延在している。また、各々の導光板７は平面視で略多角形状の平板状をなしている。各々の導光板７の形状は、略多角形状に限らず、円盤状、三角形状等及びこれら形状の組み合わせでもよい。
【００３３】
各々の導光板７は、第１発光部４及び第２発光部５が発した光が導光する光学部材である。各々の導光板７は、ポリカーボネートや、アクリルなどの透光性の樹脂であるが、その他どのような材料で形成されてもよい。
【００３４】
図３に示すように、導光板７は、第１導光部７ａと第２導光部７ｂとを有する。
【００３５】
第１導光部７ａは、筐体２から延在する部分である。第２導光部７ｂは、第１導光部７ａよりも第１発光部４側に位置し、筐体２とカバー部８とで挟まれた部分である。
【００３６】
第１導光部７ａには、第１面７１（第１領域の一例）と、第１出射面７４と、第３出射面７６とが形成されている。また、第２導光部７ｂには、第２面７２と、入射面７３と、第２出射面７５とが形成されている。
【００３７】
第１面７１及び第２面７２は、互いに異なる面であり、導光板７における上面の面である。第１面７１は、第２面７２と面一である。第１面７１の面積は、第２面７２の面積よりも広い。第１面７１は、導光板７における第１導光部７ａの上面で、略水平な平面状をなし、筐体２から延在した部分における面である。第１面７１は、第１発光部４における第１光源４１の光軸Ｘ１と略平行な関係である。第１面７１には、導光する光を拡散させる機能を有する。本実施の形態では、光を拡散させる機能の一例として、第１面７１には、複数のプリズム素子７１ａが形成され、導光した光を拡散及び反射させる。
【００３８】
プリズム素子７１ａは、例えば、半球状、円錐状等の凹溝であり、本実施の形態では、半球状の凹溝である。プリズム素子７１ａは、それぞれが第１面７１にランダムに形成されていてもよく、規則正しく形成されていてもよい。
【００３９】
また、第１面７１の光を拡散させる機能は、凹溝に限らず、例えば、シボ加工等の表面処理を施すことによって第１面７１の上面に微小凹凸を形成したり、第１面７１の上面にドットパターンを印刷したりすることによって光拡散性を有するように構成してもよい。また、シリカ、炭酸カルシウム、酸化チタン等の光拡散材を含有する樹脂や白色顔料等を、透光性の基材に分散させたり、第１面７１の上面の全面に塗布することによって乳白色の光拡散膜を形成したりしてもよい。
【００４０】
第２面７２は、導光板７における第２導光部７ｂの上面で、筐体２とカバー部８との間に設けられた部分における面であり、第１面７１のような導光する光を拡散させる処理が施されておらず、略均一な平面をなしている。第２面７２は、第２発光部５と向かい合い、第２発光部５における第２光源５１の光軸Ｘ２と略直交する関係にある。
【００４１】
入射面７３は、導光板７の第１発光部４側の側面である。入射面７３には、第１発光部４から出射した光が入射する。入射面７３は、第１発光部４における第１光源４１の光軸Ｘ１とは略直交する左右方向に長尺な平面であり、上下左右平面と略平行である。
【００４２】
第１出射面７４及び第２出射面７５は、互いに異なる面であり、導光板７の下面である。第１出射面７４は、第２出射面７５と面一である。第１出射面７４は、導光板７における第１導光部７ａの下面であり、導光板７を平面視した場合に、第１面７１と重なり合う、第１面７１と反対側の面である。つまり、第１出射面７４は、筐体２から延在した部分における導光板７の下面である。また、第１出射面７４は、導光板７を導光してきた光が出射する面であり、例えば、第１面７１のプリズム素子７１ａで拡散及び反射された光が出射する。
【００４３】
第２出射面７５は、導光板７における第２導光部７ｂの下面であり、導光板７を平面視した場合に、第２面７２と重なり合う、第２面７２と反対側の面である。つまり、第２出射面７５は、筐体２とカバー部８との間に設けられた部分における導光板７の下面である。また、第２出射面７５は、導光板７を導光してきた光が出射する面であり、例えば、第２発光部５の光が透過して出射する面である。
【００４４】
第３出射面７６は、入射面７３と反対側の側面である。第３出射面７６は、導光板７を導光してきた光が出射する面であり、例えば、第１発光部４から直進してきた光が出射する面である。本実施の形態では、断面視で、その先端が三角形状に尖っているが、これに限定されず、平坦な平面状、円弧状等でもよい。第３出射面７６は、出射する光を拡散させる処理が施されていてもよい。
【００４５】
第１支持部２１は、筐体２と固定部材に固定された左右方向に長尺で、断面が逆Ｕ字状をなした部材である。本実施の形態における第１支持部２１は、前後で隣り合う２つの第２発光部５と、前後で隣り合う２つの第２支持部２２とを収容している。第１支持部２１における前側の底部には、一方（前方）の第２発光部５が第１支持部２１に固定されている。また、第１支持部２１における後側の底部には、一方の第２発光部５と離間した状態で、他方（後方）の第２発光部５が第１支持部２１に固定される。
【００４６】
各々の第２支持部２２は、前後で隣り合う２つの第２発光部５の隙間に設けられ、第１支持部２１の底部から下方に倒立した状態で固定されている。本実施の形態における２つの第２支持部２２は、断面が逆Ｌ字状をなした左右に長尺な部材であり、互いに接触した状態で、前後方向で対称に設けられ、各々の第１発光部４を一対一で固定している。
【００４７】
第１支持部２１及び第２支持部２２は、第１、２光源４１、５１で発生した熱が配線基板４２、５２を介して伝導して放熱させるように、配線基板４２、５２の裏面で面接触している。第１支持部２１及び第２支持部２２は、金属部材であり、第１発光部４及び第２発光部５で発生した熱を効率良く放熱させるために、アルミニウム（Ａｌ）、銅（Ｃｕ）又は鉄（Ｆｅ）等の熱伝導率の高い金属材料を主成分として構成していてもよい。また、第１支持部２１及び第２支持部２２は、金属製に限らず、熱伝導率の高い樹脂材料を用いて構成してもよい。
【００４８】
カバー部８は、左右方向に長尺であり、例えば、第１発光部４及び第２発光部５から発せられた光が透過する部材である。なお、カバー部８は、第１発光部４及び第２発光部５から発せられた光を拡散する機能を有していてもよい。
【００４９】
カバー部８は、照明装置１を平面視した場合に、導光板７の第２出射面７５を覆うように筐体２に設けられている。カバー部８は、断面視した場合において、円弧状をなしているが、この形状に限らず、円弧状、三角形状等であってもよい。
【００５０】
電源部９は、筐体２と第２支持部２２との間に形成される収容空間に設けられる。電源部９は、照明装置１を天井のシーリングに取りつける際に、電気的に接続することができてもよい。
【００５１】
電源部９は、第１発光部４を発光させるための電力を生成する電源回路によって構成されている。電源部９は、例えば、電力系統から供給される電力を、整流、平滑及び降圧等して所定レベルの直流電力に変換し、当該直流電力を第１発光部４に供給する。電源部９は、制御線等の電力線によって電力系統と電気的に接続される。
【００５２】
電源部９は、例えば、電源部９の制御回路により制御されることで、第１発光部４への電力供給をオン及びオフする。例えば、リモコン等の操作部を介して点灯の操作を受けた場合には、制御回路は、電源部９から電力を第１発光部４に供給し、第１発光部４の第１光源４１を点灯させる。また、操作部が消灯の操作を受けた場合には、制御回路は、電源部９からの第１発光部４への電力の供給を遮断することで、第１発光部４の第１光源４１を消灯する。
【００５３】
この照明装置１における第１、２光源４１、５１から出射された光の振る舞いについて、図３〜図５を用いて説明する。図４は、実施の形態１に係る照明装置１における光源の第１、２光源４１、５１を示す説明図である。図５は、実施の形態１に係る照明装置１における第１発光部４の第１光源４１の配光を示す説明図である。図３では、前側の導光板７を用いて説明する。図３及び図４では、第１、２光源４１、５１が発した光を実線で示す。図５は、導光板７を上から見た図であり、破線で光の第１光源４１の配光を示す。
【００５４】
第１光源４１から導光板７の入射面７３に入射した光は、例えば、第１面７１のプリズム素子に入射し、拡散及び反射され、第１出射面７４から出射する。また、入射面７３に入射して第１光源４１の光軸Ｘ１方向に導光した光は、例えば、第３出射面７６から出射する。
【００５５】
図４に示すように、また、導光板７の第２面７２に入射した第２光源５１の光は、例えば、導光板７を導光し、第２出射面７５から出射する。ここで、導光板７において、第２面７２と第２出射面７５に挟まれた部分である第２導光部７ｂは、第１光源４１と第２光源５１とが発した光が内部でミキシングするミキシングエリアである。
【００５６】
図５に示すように、隣り合う２つの第１発光部４における第１光源４１の光は、第１導光部７ａ内で互いに交差している。言い換えれば、第１発光部４における第１光源４１の光は、当該第１発光部４に隣接する他の第１発光部４における第１光源４１の光と第２導光部７ｂ内で交差している。隣り合う２つの第１光源４１から入射面７３に入射した屈折角θ内の光は、第１導光部７ａ内で互いに交差している。このため、プリズム素子７１ａは、左右方向に並んでいる複数の第１光源４１の光が混ざり始めた位置近傍に設けられる。こうすることで、第１面７１に設けられるプリズム素子７１ａで拡散及び反射する光に斑が生じず、導光板７における第２出射面７５側の第１出射面７４から輝度斑が生じ難い。なお、隣り合う２つの第１光源４１の光が十分に重なった後に、プリズム素子７１ａが設けられている方が、導光板７から出射する光の均一性が高まる。なお、屈折角θは、入射面７３に垂直な２点鎖線（光軸Ｘ１と略平行）と、導光板７で屈折した第１光源４１の最大配光角内の光との角度である。本実施の形態では、第１光源４１の光は、導光板７の入射面７３から入射した屈折角θは、０°以上４２°以下であることが好ましい。つまり、導光板７の第２導光部７２を導光する第１光源４１の光の角度範囲は、０°以上８４°以下である。  このような照明装置１では、各々の第１発光部４の第１光源４１が前後方向に光を出射するとともに、各々の第２発光部５の第２光源５１が下方向に光を出射するため、照明装置１を平面視で、一方の第１発光部４と他方の第１発光部４との間の部分（第２支持部２２の下端側の部分）も配光される。つまり、照明装置１の点灯時にカバー部８から出射した光を見た場合に、輝度斑が生じ難い。
【００５７】
［比較例］
次に、比較例に係る照明装置１１の構成について図６を用いて説明する。
【００５８】
図６は、比較例に係る照明装置１１における光源１１１の配光を示す説明図である。本比較例における他の構成は、実施の形態１と同様であり、同一の構成については同一の符号を付して構成に関する詳細な説明を省略する。
【００５９】
比較例では、隣り合う２つの第２支持部２２の間に、１つの第２発光部１１０が設けられている点で実施の形態１と相違している。
【００６０】
図６に示すように、第２発光部１１０の配線基板１１２には、左右方向に並ぶ光源１１１が３列設けられている。第２発光部１１０の光源１１１の光軸Ｙは、導光板７を通過せずに、第２発光部１１０の下方にあるカバー部８に直接照射している。つまり、導光板７を通過する光軸Ｘ１は、第１発光部４における第１光源４１の光軸Ｘ１だけである。つまり、第１発光部４の光と第２発光部１１０の光とが、実施の形態１の第２導光部７ｂのように内部でミキシングしていない。
【００６１】
このような照明装置１１を平面視した際に、実施の形態１の第２出射面７５に相当する部分の下方側（２点鎖線で示す領域Ｅ１）では、第２発光部５の直下部分に比べれば、あまり光が出射されず、カバー部８に輝度斑が生じてしまう。つまり、この照明装置１１が点灯した場合、導光板７とカバー部８との境界周辺が暗く見えてしまい、このような照明装置１１では、見え掛かりが悪い。
【００６２】
［作用効果］
次に、本実施の形態おける照明装置１の作用効果について説明する。
【００６３】
上述したように、本実施の形態に係る照明装置１は、導光する光を拡散させる第１面７１と、第１面７１よりも導光する光を拡散しない第２面７２とを有する導光板７と、第２面７２側から第１面７１側に向けて光を照射する第１光源４１と、第２面７２に光を照射する第２光源５１とを備える。そして、第１光源４１の光軸Ｘ１は、第２光源５１の光軸Ｘ１と導光板７内で交差又は立体交差している。
【００６４】
この構成によれば、第１発光部４の光軸Ｘ１が第２発光部５の光軸Ｘ２と導光板７内で交差又は立体交差しているため、第２出射面７５下方に光が照射し、比較例の照明装置１１のように、第１発光部４の下側の領域Ｅ１が光源１１１の直下に比べて輝度が低くなり難い。つまり、この照明装置１が点灯した場合、平面視で導光板７から出射する光と、カバー部８から出射する光とが繋がるように、照明装置１から光が出射される。このため、照明装置１から出射される光に輝度斑が生じ難い。つまり、照明装置１の点灯時に外観が損なわれない照明を行うことができる。
【００６５】
また、比較例の領域Ｅ１を照射する光源を新たに設ける必要もなく、照明装置１の大型化を抑制することができる。
【００６６】
したがって、照明装置１の大型化を抑制しつつ、照明装置１の点灯時に輝度斑を抑制することができる。
【００６７】
また、本実施の形態に係る照明装置１における導光板７を平面視した場合において、第２発光部５は、第２面７２と重なるように配置されている。
【００６８】
この構成によれば、第２発光部５の第２光源５１が第２導光部７ｂを介して第２導光部７ｂの下側の領域を照射することができるため、照明装置１の小型化を図ることができるとともに、簡易な構成で、照明装置１から出射される光の輝度斑の発生を抑制することができる。
【００６９】
また、本実施の形態に係る照明装置１において、第１面７１の面積は、第２面７２の面積よりも広い。
【００７０】
第１面７１の面積が第２面７２の面積よりも狭い場合、第２導光部７ｂの下側の領域を照射するために、第２発光部５の第２光源５１を前後方向に何列も並べなければならない。しかし、この構成によれば、第１発光部４における第１光源４１の光は、プリズム素子７１ａにより拡散反射されて、導光板７の下方向及び左右方向等に出射するため、第２発光部５に設ける第２光源５１の数が増大化し難い。このため、この照明装置１では、装置の大型化をより抑制することができる。
【００７１】
また、本実施の形態に係る照明装置１において、導光板７は、第２面７２が形成された第２導光部７ｂを有する。また、第１光源４１は、複数配列される。そして、隣り合う２つの第１光源４１における配光角内の光は、第２導光部７ｂ内で互いに交差している。
【００７２】
この構成によれば、隣り合う２つの第１発光部４における配光角内の光は、第２導光部７ｂ内で互いに交差しているため、導光板７の第１出射面７４から出射する光に輝度斑が生じ難い。
【００７３】
（実施の形態１の変形例１）
以下、本変形例に係る照明装置１００について、図７を用いて説明する。
【００７４】
図７は、実施の形態１の変形例１に係る照明装置１００を示す部分拡大断面図である。
【００７５】
実施の形態１では、隣り合う２つの第２支持部２２は、互いに接触した状態で、前後方向で対称に設けられているが、本変形例では、各々の第２支持部２２が互いに離間しており、隣り合う２つの第２支持部２２の間に第３発光部６が設けられる点で相違している。
【００７６】
本変形例における他の構成は、実施の形態１と同様であり、同一の構成については同一の符号を付して構成に関する詳細な説明を省略する。
【００７７】
図７に示すように、第３発光部６は、左右方向に長尺な板状をなしている。本変形例では、第３発光部６が筐体２の第１支持部２１に固定されている。第１発光部４は光軸Ｘ３が略鉛直方向（本変形例では下方向）に出射するように配置されている。第３発光部６における第３光源６１の光軸Ｘ３は、導光板７を通過せずに、第３発光部６の下方にあるカバー部８に直接照射している。
【００７８】
第３発光部６は、複数の第３光源６１と、複数の第３光源６１が配置される配線基板６２とを有するモジュールである。
【００７９】
複数の第３光源６１は、左右方向に長尺な配線基板６２で、１列で左右方向に並んでいる。本変形例では、１列に並んでいるが、前後で２列以上並んでいてもよい。各々の第３光源６１も、第１、２光源４１、５１と同様の構成であってもよい。
【００８０】
なお、複数の第３光源６１は隣り合う２つの第２支持部２２の間に設けられているが、隣り合う２つの第２支持部２２の壁面には、各々の第３光源６１が発する光を鏡面反射させる加工又は拡散させる加工が施されていてもよい。隣り合う２つの第２支持部２２の壁面は、一方の第２支持部２２の壁面が他方の第２支持部２２の壁面と向かい合っている面である。
【００８１】
このような照明装置１００では、隣り合う２つの第２支持部２２の下方を第３発光部６の第３光源６１が光を照射するため、第２支持部２２の下方がより暗くなり難い。つまり、この照明装置１００では輝度斑が生じ難い。
【００８２】
本変形例においても、実施の形態１と同様の作用効果を奏する。
【００８３】
（実施の形態１の変形例２）
以下、本変形例に係る照明装置１について、図８を用いて説明する。
【００８４】
図８は、実施の形態１の変形例２に係る照明装置１を示す部分拡大断面図である。
【００８５】
本変形例では、第２出射面７５にプリズムシート１２０（光拡散部の一例）が設けられている点で実施の形態１と相違する。
【００８６】
図８に示すように、プリズムシート１２０は、導光板７を平面視した場合に、第１面７１と重なる第２出射面７５（第１面７１とは反対側の導光板７の面）に行われている。第２導光部７ｂの下面には、導光板７を導光した光を拡散透過させるプリズムシート１２０が設けられている。本変形例では、導光板７を透過する光を拡散する微細光学構造が形成されたプリズムシート１２０が第２導光部７ｂの下面に設けられている。また、本変形例では、プリズムシート１２０の下面を第２出射面７５とする。なお、プリズムシート１２０は、第２導光部７ｂの下面に設けられているが、上面に設けてもよい。
【００８７】
なお、第２出射面７５に行われているプリズムシート１２０は、例えば、光拡散材等を含む乳白色の光拡散膜であってもよく、第２導光部７ｂの下側面に内部に光拡散材等を含有した光拡散層であってもよい。光拡散材は、シリカまたは炭酸カルシウムなどの光拡散材（微粒子）を含有する乳白色の樹脂である。さらに、プリズムシート１２０は、第２出射面７５の全面に塗布することによって乳白色の光拡散膜を形成してもよい。
【００８８】
プリズムシート１２０には、例えば、微細光学構造である複数の凹凸部が形成され、これらの複数の凹凸部がマトリクス状に並んでいる。凹凸部の各々は、三角錐状、四角錐状、円錐状、略半球状等である。
【００８９】
これにより、本変形例に係る照明装置１において、第２面７２とは反対側の面で、かつ、導光板７を平面視した場合に第２面７２と重なる導光板７の面には、導光した光を拡散透過させるプリズムシート１２０が設けられている。
【００９０】
この構成によれば、第２発光部５の光源５１の光が、導光板７のプリズムシート１２０で拡散されて出射するため、第２出射面７５から出射する光が第２支持部２２の下方を照射し易い。このため、照明装置１では、より輝度斑が生じ難い。
【００９１】
本変形例においても、実施の形態１と同様の作用効果を奏する。
【００９２】
（実施の形態１の変形例３）
以下、本変形例に係る照明装置１について、図９を用いて説明する。
【００９３】
図９は、実施の形態１の変形例３に係る照明装置１における第１発光部４の第１光源４１の配光を示す説明図である。図９は、導光板７及び第１光源４１を下側から見た図である。
【００９４】
本変形例では、第２出射面７５に光拡散処理が施されている点で実施の形態１と相違する。
【００９５】
図９に示すように、光拡散処理は、導光板７を平面視した場合に、第２出射面７５（第１面７１とは反対側の導光板７の面）の領域Ｒ１に行われている。つまり、光拡散処理は、第２導光部７ｂの下面に行われている。光拡散処理は、第２導光部７ｂ内を導光する第１光源４１の屈折角θ内の光よりも、第１光源４１の光が入射しない領域Ｒ１に設けられる。第１光源４１の屈折角θ内の光よりも第１光源４１の光が入射しない領域Ｒ１とは、第１光源４１の屈折角θの外側の領域であり、第１光源４１の光が入射しない、又はほとんど入射しない領域であり、第２光源４２の光が入射する。
【００９６】
本変形例では、導光板７を透過する第２光源５１の光を拡散する、凹凸状の微細光学構造が形成されている。なお、光拡散処理は、第２導光部７ｂの下面に設けられているが、上面に設けてもよい。なお、微細光学構造である複数の凹凸部は、これらの複数の凹凸部がマトリクス状に並んでいる。凹凸部の各々は、三角錐状、四角錐状、円錐状、略半球状等である。
【００９７】
なお、第２出射面７５の領域Ｒ１に行われている光拡散処理は、凹凸状の微細光学構造に限らず、例えば、光拡散材等を含む乳白色の光拡散膜であってもよく、第２導光部７ｂの下側面に内部に光拡散材等を含有した光拡散層であってもよい。光拡散材は、シリカまたは炭酸カルシウムなどの光拡散材（微粒子）を含有する乳白色の樹脂である。さらに、第２出射面７５の領域Ｒ１の全面に塗布することによって乳白色の光拡散膜を形成してもよい。
【００９８】
なお、光拡散材を用いるのではなく、シボ加工等の表面処理を施すことで導光板７の第２出射面７５の領域Ｒ１に微小凹凸を形成したり、第１導光部７ａの上面にドットパターンを印刷したりすることでも光拡散性を有する導光板７を実現することができる。なお、第２出射面７５の領域Ｒ１に凹凸又はドットパターンを形成した導光板７に対し、さらに光拡散材を含有させてもよい。
【００９９】
これにより、本変形例に係る照明装置１において、第２面７２とは反対側の面（第２出射面７５）で、かつ、導光板７を平面視した場合に第２面７２と重なる導光板７の面には、導光した光を拡散透過させる光拡散処理が施される。そして、光拡散処理は、第２導光部７ｂ内を導光する第１光源４１の屈折角内の光よりも、第１光源４１の光が入射しない領域Ｒ１に設けられる。
【０１００】
この構成によれば、第２出射面７５の一部である領域Ｒ１に光拡散処理を施すだけで、プリズムシート等の別部材を設ける必要がないため、照明装置１の製造コストが高騰化し難い。
【０１０１】
本変形例においても、実施の形態１と同様の作用効果を奏する。
【０１０２】
（実施の形態２）
次に、本実施の形態に係る照明装置２００について、図１０を用いて説明する。
【０１０３】
図１０は、実施の形態２に係る照明装置１を示す部分拡大断面図である。
【０１０４】
［構成］
まず、本実施の形態に係る照明装置２００の構成について説明する。
【０１０５】
実施の形態１では、第１発光部４及び第２発光部５を用いているが、本実施の形態では、第１光源２４１と第２光源２５１とは、同一の配線基板２４２に実装されている点、及び反射板２２０を用いている点で相違している。
【０１０６】
本実施の形態において、照明装置２００における他の構成は、実施の形態１の照明装置１と同様であり、特に言及する場合を除き、同一の構成については同一の符号を付して構成に関する詳細な説明を省略する。なお、各々の第１発光部２４０及び各々の導光板７は、前後で対称であり、同様の構成であるため、特に記載しない場合はその説明を省略する。
【０１０７】
図１０に示すように、本実施の形態の第１発光部２４０では、左右方向に並ぶ複数の第１光源２４１と第２光源２５１とが、上下方向に３列並んでいる。具体的には、第１光源２４１は、導光板７の入射面７３に光が入射するように、配線基板２４２に設けられる。つまり、配線基板２４２は、導光板７の延長線上で交差するように設けられる。第１光源２４１は、配線基板２４２の下方に１列で左右方向に並んでいる。第２光源２５１は、反射板２２０に光を照射するように、配線基板２４２に設けられる。第２光源２５１は、第１光源２４１よりも上方で、配線基板２４２に上下方向に２列で左右方向に並んでいる。各々の第１発光部２４０における他の構成については、実施の形態１の第１発光部４と同様でありその説明を省略する。
【０１０８】
本実施の形態の第１発光部２４０における上側２列の第２光源２５１は、各々の光軸Ｚが反射板２２０と交差するように、配線基板２４２に実装されている。つまり、第１発光部２４０における第２光源２５１が出射した光は、主に、反射板２２０で反射され、導光板７の第２面７２に入射する。また、第１発光部２４０の下端側に設けられた列の各々の第１光源２４１は、導光板７の入射面７３に光を入射させるように設けられる。なお、本実施の形態では、第１光源２４１及び第２光源２５１が上下に３列並んでいるが、第１光源２４１が２列以上でもよく、第２光源２５１が２列以下または４列以上でもよい。
【０１０９】
本実施の形態では、２つの反射板２２０が、２つの第１発光部２４０と一対一で向かい合うように設けられる。なお、反射板２２０及び第１発光部２４０は、２つに限定されず、１つでもよく、３つ以上でもよい。
【０１１０】
反射板２２０は、左右方向に長尺で、断面が円弧状に湾曲している。反射板２２０は、第１発光部２４０における第２光源２５１が発した光を、導光板７の第２面７２に向けて反射させることが可能な部材である。つまり、反射板２２０は、第２光源２５１の光を第２面７２と交差させるように反射する。
【０１１１】
反射板２２０は、例えば、アルミニウム等の金属材料により形成されてもよく、白色の拡散反射性を持つ塗装や、銀やアルミニウムなどの金属材料からなる金属蒸着膜（金属反射膜）が形成されたミラーコーティングや研磨による鏡面仕上げにより実現する。
【０１１２】
このような照明装置２００では、第１発光部２４０における第２光源２５１の光は、例えば、反射板２２０で反射され、第２面７２に入射し、導光板７を導光し、第２出射面７５から出射する。また、第２光源２５１の光は、反射板２２０に深い角度で入射した場合、反射板２２０で反射されると第１発光部２４０側に向かうため、照明装置２００を平面視で、第２支持部２２の下端側の部分も配光される。つまり、照明装置２００の点灯時にカバー部８から出射した光を見た場合に、輝度斑が生じていない。
【０１１３】
［作用効果］
次に、本実施の形態おける照明装置２００の作用効果について説明する。
【０１１４】
上述したように、本実施の形態に係る照明装置２００は、さらに、光を反射させる反射板２２０を備える。そして、反射板２２０は、第２光源２５１の光を第２面７２と交差させるように反射する。
【０１１５】
この構成によれば、反射板２２０が第２光源５１の光を第２面７２と交差させるため、第１光源５１の光と第２光源５１の光とが第２導光部７ｂ内で交差又は立体交差する。このため、照明装置２００では、より輝度斑が生じ難い。
【０１１６】
また、本実施の形態に係る照明装置２００において、第１光源４１と第２光源５１とは、同一の配線基板２４２に実装される。そして、配線基板２４２は、導光板７と立体交差している。
【０１１７】
この構成によれば、第１光源２４１と第２光源２５１とを１つの配線基板２４２に実装しているため、第１光源２４１と第２光源２５１とを別々の配線基板２４２に設ける場合に比べ、設備を簡易にすることができる。
【０１１８】
本実施の形態においても、実施の形態１と同様の作用効果を奏する。
【０１１９】
（その他の変形例）
以上、本発明に係る照明装置について、実施の形態１、２及び実施の形態の変形例１〜３に基づいて説明したが、本発明は、上記実施の形態１、２及び実施の形態の変形例１〜３に限定されるものではない。
【０１２０】
例えば、上記実施の形態において、光源ごとにそれぞれが互いに異なる色の光を発光してもよい。この場合、例えば、光源は、青色光、赤色光、緑色光等を出射してもよい。
【０１２１】
また、上記実施の形態において、光源は、このような構成に限定されるものではなく、光源の図示しない基板上にＬＥＤチップが直接的に実装されたＣＯＢ（Ｃｈｉｐ  Ｏｎ  Ｂｏａｒｄ）型の発光部が用いられてもよい。また、各々の光源が有する発光素子は、ＬＥＤに限定されるものではなく、例えば、半導体レーザ等の半導体発光素子、または、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【０１２２】
また、上記実施の形態において、第１光源及び第２光源では、白色光や電球色の光を発する光源を交互に並べていてもよく、白色光及び青色光を発する光源を交互に並べていてもよい。
【０１２３】
また、上記実施の形態において、プリズム素子の形状を適宜変更することで、照明装置の配光を変更してもよく、第１光源に近いほどプリズム素子の配置の比率（カバー率）を小さくし、第１光源から離れるに従い大きくしてもよい。この場合、導光板から出射する光の輝度が均一になり易い。
【０１２４】
その他、実施の形態１、２及び実施の形態の変形例１〜３に対して当業者が思いつく各種変形を施して得られる形態や、本発明の趣旨を逸脱しない範囲で実施の形態１、２及び実施の形態の変形例１〜３における構成要素及び機能を任意に組み合わせることで実現される形態も本発明に含まれる。
【符号の説明】
【０１２５】
１、１００、２００  照明装置
７  導光板
７ｂ  第２導光部（導光部）
４１、２４１  第１光源
５１  第２光源
４２、５２、２４２  配線基板（基板）
７１  第１面
７２  第２面
１２０  プリズムシート（光拡散部）
２２０  反射板
【図１】
2018056000.tif 000003
【図２】
2018056000.tif 000004
【図３】
2018056000.tif 000005
【図４】
2018056000.tif 000006
【図５】
2018056000.tif 000007
【図６】
2018056000.tif 000008
【図７】
2018056000.tif 000009
【図８】
2018056000.tif 000010
【図９】
2018056000.tif 000011
【図１０】
2018056000.tif 000012